(57)【要約】【課題】カーナビゲーションの位置検出機能を利用して、建屋到着予定時間を算出し、建屋の家電機器を帰宅前に作動させるシステムは、道路渋滞等で到着予定時間から遅れそうな場合、再度到着予定時間を設定し直さなければならない。【解決手段】建屋から予め定めた距離内に、住人が到達したことをＧＰＳシステムによる位置情報から検知し、建屋ではこの到達情報から各種屋内の家電機器を事前に作動させるようにした。住人が建屋から所定距離外へ離脱した場合も、これを検出しシステムをクローズして待機状態とする。【選択図】　　図１
2004104295.tif 000002
【特許請求の範囲】
【請求項１】
内部に電気機器が配置されている建屋からの所定距離を設定し、移動する携帯端末の位置を検知して、前記携帯端末が前記所定距離の内部に到達したことを検知して、前記建屋内の電気機器を起動させるようにしたことを特徴とする電気機器起動システム。
【請求項２】
前記携帯端末は携帯電話であることを特徴とする請求項１記載の電気機器起動システム。
【請求項３】
前記携帯端末の位置検知はＧＰＳシステムにて検知することを特徴とする請求項１又は２記載の電気機器起動システム。
【発明の詳細な説明】
【発明が属する技術分野】
本発明は、携帯端末を利用した屋内電気機器の起動システムに関する。
【従来の技術】
屋内にある電気機器類は通常、当該家に住人が到着後各種のスイッチを投入して起動を行っている。また、住人が自宅へ帰宅前に屋内を快適な環境にしておくことを目的に、自動車等の移動体から自宅等の家電機器を制御する技術が知られている。この公開公報には、移動体に搭載してあるＧＰＳを利用したカーナビゲーションの位置検出機能を利用して、自宅到着予定時間を算出し、移動体の携帯電話等の通信端末から自宅にある家電機器の作動予約を行うシステムが開示されている。この例では、複数の家電機器はホームサーバにネットワークを介して接続されている。（例えば特許文献１参照）
【特許文献１】
特開２００２−６４８８１号公報（［００６７］〜［００７８］）
【発明が解決しようとする課題】
外出先から帰宅して屋内の電灯、エアコン、風呂、パソコンのメール立ち上げ等の家電機器を作動させることが一般的ではあるが、厳寒や猛暑の季節には屋内が快適な環境になるまでに長時間を要し、その間不快な状態で過ごさなければならない。
また、特許文献１にあるシステムを利用すれば、出先にある自動車等の移動体から自宅の家電機器の作動開始を予約することができるため、帰宅時には快適な環境の屋内へ入ることができ、食事の準備も速やかに行うことができ、風呂もすぐに入ることが可能な状態とすることができる。
しかしながら、移動体からの予約のため、道路事情等の理由から当初の到着予定時間が延びることは十分考えられ。この場合には、一度予約した家電機器作動時間を移動体の中から変更しなければならない。渋滞や事故等の不測の遅延要素は、解消見込みの予測が極めて困難であって、一度変更した後に再度予約の変更を余儀なくされることも十分考えられる。自動車等の移動体内からの携帯電話による予約、変更、再変更の動作は、煩瑣であるばかりでなく、運転者がこれを行う場合には事故を引起す要因ともなり、非常に危険である。
本発明は、上述した課題を解決するためになされたもので、屋外から屋内の家電機器等を簡単な構成で正確に制御することができる電気機器起動システムを提供することを目的とする。
【課題を解決するための手段】
本発明に係わる電気機器起動システムは、内部に電気機器が配置されている建屋からの所定距離を設定し、移動する携帯端末の位置を検知して、前記携帯端末が前記所定距離の内部に到達したことを検知して、前記建屋内の電気機器を起動させるようにしたことを要旨とする。
更に本発明に係わる電気機器起動システムは、前記携帯端末が携帯電話であることを要旨とする。
更に本発明に係わる電気機器起動システムは、前記携帯端末の位置検知をＧＰＳシステムにて検知することを要旨とする。
【発明の実施の形態】
以下本発明の実施形態を図面を参照して説明する。図１は本発明の実施形態に係わる電気機器起動システムの構成を示す図、図２は本発明に係わる電気機器起動システムの動作を説明するためのフローチャートである。図１に示すように、建屋１１内には各種の電気機器が配置されているが、図１においては、代表的な例としてホームサーバとなるパソコン１２、電灯１３、エアコン１４、風呂１５を示してある。パソコン１２とこれら家電機器とは矢印で簡易的に示してあるが屋内ネットワーク１０に接続されている。また、パソコン１２には音声出力装置２１が付帯して設けられており、この出力音声は家族等が聞くことができるように屋内へ伝達される。
建屋１１の住人１６は携帯電話、ＰＨＳ等の携帯端末１７を保持しており、この携帯端末１７は電源投入状態でＧＰＳシステム１８によって現在位置を受信・判別する機能を有している。また、携帯端末１７は、同じく電源投入状態で、現在位置情報を逐次サーバ１９を介して建屋１１のパソコン１２へ自動的に伝送することができる。パソコン１２は、インターフェースユニット２０に連動して屋外の携帯端末１７からの信号を受信し、逐次携帯端末１７の位置を判別する。なお、住人１６は、歩行中であっても、自動車等の移動体内であってもよい。
さて、パソコン１２では、住人１６が所持する携帯端末１７からの位置情報を利用して、携帯端末１７の位置は刻々と建屋１１へ近づいていることを判断しているのであって、このことから、携帯端末１７と建屋１１までの距離を設定することができる。そこで、本発明の実施形態にあっては、予め建屋１１から所定距離Ｌを設定しておく。例えば、この実施形態では所定の距離として、半径３Ｋｍ〜５Ｋｍの建屋１１を中心とした円弧９上に設定される。
住人１６がこの所定距離Ｌの地点に到着し更にこの地点から建屋１１へ近づいた場合には、この情報は住人１６が保持する携帯端末１７から自動的に建屋１１内のインターフェースユニット２０を介してパソコン１２に入力される。パソコン１２では、住人１６が所定距離内に入ったことを認識し、予め予約設定しておいた各種作動を開始する。即ち、屋内に家族等がいる場合に便利なように、パソコン１２に接続された音声出力装置２１から住人１６が間もなく帰宅する旨のアナウスを行う。
また、特に屋内が無人の場合に便利なように、パソコン１２はネットワークを介して最小限の電灯１３の点灯、快適な室温になるようエアコン１４のオン、風呂１５への給湯のオン等の家電機器の作動を開始させる。更に、パソコン１２は、固定メッセージあるいは任意メッセージの送受信を自動的に開始する。このようにして、住人１６が建屋１１から所定距離Ｌに到着すると、屋内の家電機器等が自動的に起動し、住人１６が自宅に到着したときには快適な生活環境が形成されている。
この動作を図２（ａ）も参照して説明する。即ち、携帯端末１７の電源が投入されている状態で、住人１６が建屋１１から距離Ｌ内に進入すると、サーバ１９が端末の設定状態を確認して建屋へのインターネット回線を開く（ａ−１）。パソコン１２に家族等への通知設定がある場合には、音声あるいはメールにて予め設定しておいた帰宅予告の連絡を行う（ａ−２）。更に、パソコン１２は屋内ネットワークを介して各種家電機器の起動指令を出す（ａ−３）。
次に、住人１６が建屋１１から外出する場合の処理について図１並びに図２（ｂ）を参照して説明する。住人１６は予めパソコン１２を所定の設定にしておく。即ち、サーバ１９が住人１６の所持する携帯端末１７の現在位置から住人１６が建屋１１から距離Ｌ以上に離れたことを検出した場合には（ｂ−１）、住人１６が距離Ｌの外へ離れた旨が家族等へ通知される（ｂ−２）。その後、パソコン１２はクローズする（ｂ−３）。このようにして、次に住人１６が距離Ｌの内部に再び入り、住人１６の位置信号が入力されるまでシステムは待機状態になる。
なお、距離Ｌは、自在に変更することができ、到着予定者に応じて最適な距離に設定すればよい。
【発明の効果】
このような本発明に係わる電気機器起動システムを採用することにより、対象者が建屋から予め定めた距離内に到達したことを検知し、各種の電気機器を起動させることができるようになった。到着時間を設定する方式とは異なり、道路事情等によって渋滞しても設定をし直す必要もない。
【図面の簡単な説明】
【図１】本発明の実施形態を説明するための構成図。
【図２】本発明の実施形態の動作を説明するためのフローチャート。
【符号の説明】
９…円弧
１０…屋内ネットワーク
１１…建屋
１２…パソコン
１３…電灯
１４…エアコン
１５…風呂
１６…住人
１７…携帯端末
１８…ＧＰＳシステム
１９…サーバ
２０…インターフェースユニット
２１…音声出力装置
Ｌ…距離
【図１】
2004104295.tif 000003
【図２】
2004104295.tif 000004